(57)【要約】【課題】  印刷時間が所定時間を超える場合に印刷時間を有効に活用し、画像形成装置がデバイスに記憶されたデータの読み取りを促す仕組みを提供すること。【解決するための手段】  印刷ジョブの印刷処理を行う画像形成装置であって、デバイスに記憶されたデータを読み取る読み取り手段と、前記読み取り手段により読み取られたデータを収集して記憶する記憶手段に当該データを登録する登録手段と、印刷ジョブの印刷指示を受け付ける受付手段と、前記受付手段により印刷指示を受け付けた印刷ジョブの印刷処理にかかる印刷時間を取得する取得手段と、前記取得手段で取得した印刷時間が所定の時間を超える場合に、前記読み取り手段による前記デバイスに記憶されたデータの読み取りを促すための通知を行う通知手段と、を備えていることを特徴とする。【選択図】図９
2017100328.tif 000002
【特許請求の範囲】
【請求項１】
印刷ジョブの印刷処理を行う画像形成装置であって、
デバイスに記憶されたデータを読み取る読み取り手段と、
前記読み取り手段により読み取られたデータを収集して記憶する記憶手段に当該データを登録する登録手段と、
印刷ジョブの印刷指示を受け付ける受付手段と、
前記受付手段により印刷指示を受け付けた印刷ジョブの印刷処理にかかる印刷時間を取得する取得手段と、
前記取得手段で取得した印刷時間が所定の時間を超える場合に、前記読み取り手段による前記デバイスに記憶されたデータの読み取りを促すための通知を行う通知手段と、
を備えていることを特徴とする画像形成装置。
【請求項２】
前記デバイスに記憶されたデータは、前記デバイスにより身体活動に関するデータが測定されたデータであることを特徴とする請求項１に記載の画像形成装置。
【請求項３】
前記受付手段は、前記デバイスの印刷ジョブの印刷指示を受け付け、
前記受付手段により印刷指示を受けた印刷ジョブの印刷処理にかかる印刷時間を取得する前記取得手段を更に備えることを特徴とする請求項１又は２に記載の画像形成装置。
【請求項４】
前記受付手段は、前記読み取り手段により読み取られたデータに基づきユーザの認証処理が行われた結果、当該認証処理で認証されたユーザの印刷ジョブの印刷指示を受け付け、
当該認証処理のために前記読み取り手段により読み取られたデータに従って、前記読み取り手段により当該データが読み取られたデバイスが、前記登録手段により前記記憶手段に登録するデータが記憶されたデバイスであるか、前記登録手段により前記記憶手段に登録しないデータが記憶されたデバイスであるか、を判定する判定手段を更に備え、
前記通知手段は、前記判定手段により、前記読み取り手段によりデータが読み取られたデバイスが、前記登録手段により前記記憶手段に登録しないデータが記憶されたデバイスであると判定された場合で、かつ、前記取得手段で取得した印刷時間が所定の時間を超える場合に、前記読み取り手段による前記デバイスに記憶されたデータの読み取りを促すための通知を行い、一方、前記判定手段により、前記読み取り手段によりデータが読み取られたデバイスが、前記登録手段により前記記憶手段に登録するデータが記憶されたデバイスであると判定された場合には、前記読み取り手段による前記デバイスに記憶されたデータの読み取りを促すための通知を行わないことを特徴とする請求項１乃至３の何れか１項に記載の画像形成装置。
【請求項５】
前記画像形成装置は、前記記憶手段を備えることを特徴とする請求項１乃至４の何れか１項に記載の画像形成装置。
【請求項６】
前記画像形成装置は、他の情報処理装置に備えることを特徴とする請求項１乃至４の何れか１項に記載の画像形成装置。
【請求項７】
印刷ジョブの印刷処理を行う画像形成装置の制御方法であって、
読み取り手段が、デバイスに記憶されたデータを読み取る読み取り工程と、
登録手段が、前記読み取り工程により読み取られたデータを収集して登録する記憶手段に当該データを登録する登録工程と、
受付手段が、印刷ジョブの印刷指示を受け付ける受付工程と、
取得手段が、前記受付工程により印刷指示を受け付けた印刷ジョブの印刷処理にかかる印刷時間を取得する取得工程と、
通知手段が、前記取得工程で取得した印刷時間が所定の時間を超える場合に、前記読み取り工程による前記デバイスに記憶されたデータの読み取りを促すための通知を行う通知工程と、
を備えていることを特徴とする画像形成装置の制御方法。
【請求項８】
印刷ジョブの印刷処理を行う画像形成装置で読み取り実行可能なプログラムであって、
前記画像形成装置を、
デバイスに記憶されたデータを読み取る読み取り手段と、
前記読み取り手段により読み取られたデータを収集して登録する記憶手段に当該データを登録する登録手段と、
印刷ジョブの印刷指示を受け付ける受付手段と、
前記受付手段により印刷指示を受け付けた印刷ジョブの印刷処理にかかる印刷時間を取得する取得手段と、
前記取得手段で取得した印刷時間が所定の時間を超える場合に、前記読み取り手段による前記デバイスに記憶されたデータの読み取りを促すための通知を行う通知手段として機能させることを特徴とするプログラム。
【発明の詳細な説明】
【技術分野】
【０００１】
本発明は、画像形成装置、制御方法、プログラムに関し、特に、印刷時間が所定時間を超える場合に印刷時間を有効に活用し、画像形成装置がデバイスに記憶されたデータの読み取りを促す技術に関する。
【背景技術】
【０００２】
近年、健康への意識の向上から、歩数や、血圧などの日々の活動のデータを、活動量計（歩数計や血圧計等）を用いてデジタルで記録することが行われている。
【０００３】
さらに、歩数計や血圧計で計測したデータ（活動量計データや計測結果ともいう）をオフィスに必要不可欠な複合機（Ｍｕｌｔｉｆｕｎｃｔｉｏｎ  Ｐｒｉｎｔｅｒともいう）と連携して管理することが考案されている。
【０００４】
特許文献１には、活動量計（血圧計）のデータを、当該活動量計とＵＳＢで接続した複合機を介してサーバに送信する技術が記載されている。
【先行技術文献】
【特許文献】
【０００５】
【特許文献１】特開２０１３−２１８５６１号公報
【発明の概要】
【発明が解決しようとする課題】
【０００６】
ところで、企業では、特許文献１に記載の技術を用い、各社員に活動量計を配布し、活動量計で計測したデータを複合機と連携してサーバに送信し、サーバで活動量計による計測結果を社員ごとに管理することで、社員の健康を管理することが行われている。
【０００７】
しかしながら、活動量計を複合機と連携させて、活動量計で計測したデータをサーバに送信するのは時間がかかり、ユーザ（社員）にとって手間であることから、社員がなかなか活動量計で計測したデータを複合機と連携させてサーバに送信せず、企業は社員の健康を適切に把握することができないという課題が生じていた。
【０００８】
他方で、複合機でユーザが行う作業としてＰＣ等から投入した印刷データを出力する操作があるが、印刷データの印刷に時間がかかる場合に、これまでは、ユーザは印刷が終わるまで複合機の前で待つしかなく、無駄な時間が生じていた。
【０００９】
本発明の目的は、印刷時間が所定時間を超える場合に印刷時間を有効に活用し、画像形成装置がデバイスに記憶されたデータの読み取りを促す仕組みを提供することである。
【課題を解決するための手段】
【００１０】
本発明は、印刷ジョブの印刷処理を行う画像形成装置であって、デバイスに記憶されたデータを読み取る読み取り手段と、前記読み取り手段により読み取られたデータを収集して記憶する記憶手段に当該データを登録する登録手段と、印刷ジョブの印刷指示を受け付ける受付手段と、前記受付手段により印刷指示を受け付けた印刷ジョブの印刷処理にかかる印刷時間を取得する取得手段と、前記取得手段で取得した印刷時間が所定の時間を超える場合に、前記読み取り手段による前記デバイスに記憶されたデータの読み取りを促すための通知を行う通知手段と、を備えていることを特徴とする。
【００１１】
また、本発明は、印刷ジョブの印刷処理を行う画像形成装置における制御方法であって、読み取り手段が、デバイスに記憶されたデータを読み取る読み取り工程と、登録手段が、前記読み取り工程により読み取られたデータを収集して登録する記憶手段に当該データを登録する登録工程と、受付手段が、印刷ジョブの印刷指示を受け付ける受付工程と、取得手段が、前記受付工程により印刷指示を受け付けた印刷ジョブの印刷処理にかかる印刷時間を取得する取得工程と、通知手段が、前記取得工程で取得した印刷時間が所定の時間を超える場合に、前記読み取り工程による前記デバイスに記憶されたデータの読み取りを促すための通知を行う通知工程と、を備えていることを特徴とする。
【００１２】
また、本発明は、印刷ジョブの印刷処理を行う画像形成装置で読み取り実行可能なプログラムであって、画像形成装置を、デバイスに記憶されたデータを読み取る読み取り手段と、前記読み取り手段により読み取られたデータを収集して登録する記憶手段に当該データを登録する登録手段と、印刷ジョブの印刷指示を受け付ける受付手段と、前記受付手段により印刷指示を受け付けた印刷ジョブの印刷処理にかかる印刷時間を取得する取得手段と、前記取得手段で取得した印刷時間が所定の時間を超える場合に、前記読み取り手段による前記デバイスに記憶されたデータの読み取りを促すための通知を行う通知手段として機能させることを特徴とする。
【発明の効果】
【００１３】
本発明によれば、印刷時間が所定時間を超える場合に印刷時間を有効に活用し、画像形成装置がデバイスに記憶されたデータの読み取りを促すことができる。
【図面の簡単な説明】
【００１４】
【図１】本発明の実施形態における、画像形成システムのシステム構成を示す図である。
【図２】本発明の実施形態における、画像形成装置のハードウェア構成の一例を示す図である。
【図３】本発明の実施形態における、各種装置の機能構成の一例を示す図である。
【図４】本発明の実施形態における、活動量計の処理の流れを示すフローチャートである。
【図５】本発明の実施形態における、活動量計データ印刷の流れを示すフローチャートである。
【図６】本発明の実施形態における、印刷の流れを示すフローチャートである。
【図７】本発明の実施形態における、メインメニュー画面の構成の一例を示す図である。
【図８】本発明の実施形態における、印刷データ一覧画面の構成の一例を示す図である。
【図９】本発明の実施形態における、活動量計を促す確認画面の構成の一例を示す図である。
【図１０】本発明の実施形態における、活動量計データ送信状態確認画面の構成の一例を示す図である。
【図１１】本発明の実施形態における、活動量計データ一覧画面の一例を示す図である。
【図１２】本発明の実施形態における、認証データ構成の一例を示す図である。
【図１３】図１に示した認証サーバ１３０、データ管理サーバ１４０に適用可能な情報処理装置のハードウェア構成を示すブロック図の一例を示す図である。
【発明を実施するための形態】
【００１５】
以下、図面を参照して、本発明の実施の形態の一例について説明する。
【００１６】
まず図１を参照して、本発明の実施形態における、画像形成システムのシステム構成の一例について説明する。
【００１７】
図１によれば、複合機１１０（画像形成装置とも言う）、認証サーバ１３０、データ管理サーバ１４０がそれぞれＬＡＮ１２０（ローカルエリアネットワーク）を介して通信可能に接続されている。
【００１８】
データ管理サーバ１４０は、活動量計データ（日付、歩数、消費カロリー、一日の総消費カロリー、歩行時間等の身体活動に関して測定されたデータ）を活動量計のカード情報（後述する図１２の１２０４）と紐付けて管理する。
【００１９】
複合機１１０は、ユーザが複合機１１０から認証情報を入力すると認証サーバ１３０へ問い合わせを行い、認証情報が登録されていれば認証成功を複合機１１０に応答し、複合機１１０を使用可能とする（複合機１１０のログインする）。複合機１１０にログイン後、データ管理サーバ１４０と連携する。処理としては、まず、活動量計からデータを読み取り、データ管理サーバ１４０に読み取ったデータを送信する。そして、データ管理サーバ１４０から、活動量計に関するデータ（ＰＤＦ、ＪＰＥＧ等）をダウンロードするという流れである。以上が図１の説明である。
【００２０】
次に、図２を参照して、本発明の実施形態における、画像形成装置のハードウェア構成の一例について説明する。
【００２１】
図２において、２１６はコントローラユニットで、画像入力デバイスとして機能するスキャナ２１４や、画像出力デバイスとして機能するプリンタ２１２と接続する一方、ＬＡＮや公衆回線（ＷＡＮ）（例えば、ＰＳＴＮまたはＩＳＤＮ等）と接続することで、画像データやデバイス情報の入出力を行なう。
【００２２】
コントローラユニット２１６において、２０１はＣＰＵで、システム全体を制御するプロセッサである。２０２はＲＡＭで、ＣＰＵ２０１が動作するためのシステムネットワークメモリであり、プログラムを記録するためのプログラムメモリや、画像データを一時記録するための画像メモリでもある。
【００２３】
２０３はＲＯＭで、システムのブートプログラムや各種制御プログラムが格納されている。２０４はハードディスクドライブ（ＨＤＤ）で、システムを制御するための各種プログラム、画像データ等を格納する。
【００２４】
２０７は操作部インタフェース（操作部Ｉ／Ｆ）で、操作部（ＵＩ）２０８とのインタフェース部であり、操作部２０８に表示する画像データを操作部２０８に対して出力する。また、操作部Ｉ／Ｆ２０７は、操作部２０８から本システム使用者が入力した情報（例えば、ユーザ情報等）をＣＰＵ２０１に伝える役割をする。なお、操作部２０８はタッチパネルを有する表示部を備え、該表示部に表示されたボタンを、ユーザが押下（指等でタッチ）することにより、各種指示を行うことができる。
【００２５】
２０５はネットワークインタフェース（Ｎｅｔｗｏｒｋ    Ｉ／Ｆ）で、ネットワーク（ＬＡＮ）に接続し、データの入出力を行う。２０６はモデム（ＭＯＤＥＭ）で、公衆回線に接続し、ＦＡＸの送受信等のデータの入出力を行う。
【００２６】
２１８は外部インタフェース（外部Ｉ／Ｆ）で、ＵＳＢ、ＩＥＥＥ１３９４，プリンタポート，ＲＳ−２３２Ｃ等の外部入力を受け付けるＩ／Ｆ部であり、本実施形態においては認証で必要となるＩＣカードの読み取り用のカードリーダ２１９が外部Ｉ／Ｆ部２１８に接続されている。そして、ＣＰＵ２０１は、この外部Ｉ／Ｆ２１８を介してカードリーダ２１９によるＩＣカードからの情報読み取りを制御し、該ＩＣカードから読み取られた情報を取得可能である。以上のデバイスがシステムバス２０９上に配置される。
【００２７】
２２０はイメージバスインタフェース（ＩＭＡＧＥ    ＢＵＳ    Ｉ／Ｆ）であり、システムバス２０９と画像データを高速で転送する画像バス２１５とを接続し、データ構造を変換するバスブリッジである。
【００２８】
画像バス２１５は、ＰＣＩバスまたはＩＥＥＥ１３９４で構成される。画像バス２１５上には以下のデバイスが配置される。
【００２９】
２１０はラスタイメージプロセッサ（ＲＩＰ）で、例えば、ＰＤＬコード等のベクトルデータをビットマップイメージに展開する。２１１はプリンタインタフェース（プリンタＩ／Ｆ）で、プリンタ２１２とコントローラユニット２１６を接続し、画像データの同期系／非同期系の変換を行う。また、２１３はスキャナインタフェース（スキャナＩ／Ｆ）で、スキャナ２１４とコントローラユニット２１６を接続し、画像データの同期系／非同期系の変換を行う。
【００３０】
２１７は画像処理部で、入力画像データに対し補正、加工、編集を行ったり、プリント出力画像データに対して、プリンターの補正、解像度変換等を行う。また、これに加えて、画像処理部２１７は、画像データの回転や、多値画像データに対してはＪＰＥＧ、２値画像データはＪＢＩＧ、ＭＭＲ、ＭＨ等の圧縮伸張処理を行う。
【００３１】
スキャナ部２１３は、原稿となる紙上の画像を照明し、ＣＣＤラインセンサで走査することで、ラスタイメージデータとして電気信号に変換する。原稿用紙は原稿フィーダのトレイにセットし、装置使用者が操作部２０８から読み取り起動指示することにより、ＣＰＵ２０１がスキャナ２１４に指示を与え、フィーダは原稿用紙を１枚ずつフィードし原稿画像の読み取り動作を行う。
【００３２】
プリンタ２１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ２０１からの指示によって開始する。なお、プリンタ２１２には、異なる用紙サイズまたは異なる用紙向きを選択できるように複数の給紙段を持ち、それに対応した用紙カセットがある。
【００３３】
操作部２０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ２０７を介してＣＰＵ２０１に伝える。また、操作部２０８は、各種操作キーとして、例えば、スタートキー、ストップキー、ＩＤキー、リセットキー等を備える。
【００３４】
ここで、操作部２０８のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部２０８のストップキーは、稼働中の動作を止める働きをする。また、操作部２０８のＩＤキーは、使用者のユーザＩＤを入力する時に用いる。リセットキーは、操作部からの設定を初期化する時に用いる。
【００３５】
カードリーダ２１９は、ＣＰＵ２０１からの制御により、ＩＣカード（例えば、フェリカ（ＦｅｌｉＣａ）（登録商標））内に記憶されている情報を読み取り、該読み取った情報を外部Ｉ／Ｆ２１８を介してＣＰＵ２０１へ通知する。
【００３６】
以上のような構成によって、プリンタ２１２は、スキャナ２１４から読み込んだ画像データをＬＡＮ１２０上に送信したり、ＬＡＮから受信した印刷データをプリンタ２１２により印刷出力することができる。
【００３７】
また、スキャナ２１４から読み込んだ画像データをモデム２０６により、公衆回線上にＦＡＸ送信したり、公衆回線からＦＡＸ受信した画像データをプリンタ２１２により出力することできる。
【００３８】
次に、図１３を用いて、図１に示した認証サーバ１３０、データ管理サーバ１４０に適用可能なハードウェア構成について説明する。
【００３９】
図１３は、図１に示した認証サーバ１３０、データ管理サーバ１４０に適用可能な情報処理装置のハードウェア構成を示すブロック図の一例を示す図である。各装置ともに、同様な構成を備えるため、同一の符号を用いて説明を行う。
【００４０】
ＣＰＵ１３０１は、システムバス１３０４に接続される各デバイスやコントローラを統括的に制御する。
【００４１】
ＲＯＭ１３０２あるいは外部メモリ１３１１には、ＣＰＵ１３０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、サーバ或いは各クライアントの実行する機能を実現するために必要な後述する各種プログラム等が記憶されている。
ＲＡＭ１３０３は、ＣＰＵ１３０１の主メモリ、ワークエリア等として機能する。
【００４２】
ＣＰＵ１３０１は、処理の実行に際して必要なプログラム等をＲＡＭ１３０３にロードして、プログラムを実行することで各種動作を実現するものである。
【００４３】
入力コントローラ（入力Ｃ）１３０５は、キーボード１３０９や不図示のマウス等のポインティングデバイスからの入力を制御する。
【００４４】
ビデオコントローラ（ＶＣ）１３０６は、表示端末（ディスプレイ）１３１０への表示を制御する。ディスプレイは、ＣＲＴディスプレイでも液晶ディスプレイ等でも構わない。
【００４５】
メモリコントローラ（ＭＣ）１３０７は、ブートプログラム、ブラウザソフトウエア、各種のアプリケーション、フォントデータ、利用者ファイル、編集ファイル、各種データ等を記憶するハードディスク（ＨＤ）やフロッピー（登録商標）ディスク（登録商標）（ＦＤ）或いはＰＣＭＣＩＡカードスロットにアダプタを介して接続されるコンパクトフラッシュ（登録商標）メモリ等の外部メモリ１３１１へのアクセスを制御する。
【００４６】
通信Ｉ／Ｆコントローラ（通信Ｉ／ＦＣ）１３０８は、ＬＡＮ１２０を介して、外部機器と接続・通信するものであり、ネットワークでの通信制御処理を実行する。例えば、ＴＣＰ／ＩＰを用いたインターネット通信等が可能である。
【００４７】
なお、ＣＰＵ１３０１は、例えばＲＡＭ１３０３内の表示情報用領域へアウトラインフォントの展開（ラスタライズ）処理を実行することにより、ディスプレイ１３１０上での表示を可能としている。
【００４８】
また、ＣＰＵ１３０１は、ディスプレイ１３１０上の不図示のマウスカーソル等での利用者指示を可能とする。
以上が図１３の説明である。
【００４９】
本発明を実現するためのプログラムは外部メモリ１３１１に記録されており、必要に応じてＲＡＭ１３０３にロードされることによりＣＰＵ１３０１によって実行されるものである。
【００５０】
さらに、本発明に係わるプログラムが用いる各種データ及び各種テーブルは外部メモリ１３１１に格納されており、これらについての詳細な説明は後述する。
【００５１】
次に図３を参照して、本発明の実施形態における、各種装置の機能構成の一例について説明する。
【００５２】
データ読み取り部３０１は、活動量計データを読み取る機能である。データ登録部３０２は、データ読み取り部３０１に読み取られたデータを収集して活動量計データ記憶部３０８に記憶する。
【００５３】
データ受付部３０３は、印刷ジョブの印刷指示を受け付ける。印刷時間取得部３０４は、データ受付部３０３により印刷指示を受け付けた印刷ジョブの印刷時間を取得する。
【００５４】
通知部３０５は、印刷時間取得部３０４で取得した印刷時間が所定の時間を超える場合に、活動量計のデータの読み取りを促すため通知を行う。
【００５５】
判定部３０６は、データ読み取り部３０１により読み取られたデータに従って、データが読み取られたデバイスが、データ登録部３０２に登録するデータが記憶されたデバイスであるか、活動量計データ記憶部３０８に登録しないデータが記憶されたデバイスであるか、を判定する。
【００５６】
認証情報記憶部３０７は、認証データ構成図（図１２）に記憶する。データ管理サーバ１４０は、複合機１１０から送信された活動量計データを記憶する。活動量計データ記憶部３０８は、データ登録部３０２に登録されたデータを記憶する機能である。
【００５７】
以上が図３の説明である。
【００５８】
次に、本実施形態のシステムにおける処理の詳細な説明を、図４、図５、図６のフローチャートを用いて説明する。各フローチャートに示す処理は、各装置のＣＰＵが各装置の機能部の機能を用いて実行するものとする。
【００５９】
まず図４を参照して活動量計の処理の流れについて説明する。
【００６０】
ステップＳ４０１では、複合機１１０は、ＩＣカードをかざして複合機１１０にログインするように促すメッセージを表示した認証画面を表示する。
【００６１】
ステップＳ４０２では、複合機１１０は、ユーザによってＩＣカードがかざされたかを定期的に検知する処理を実行する。
【００６２】
複合機１１０は、ユーザによりＩＣカードがかざされたと判定された場合には（ステップＳ４０２：ＹＥＳ）、ステップＳ４０３へ処理を移行する。
【００６３】
複合機１１０は、ユーザによりＩＣカードがかざされたと検知されない場合には（ステップＳ４０２：ＮＯ）、ＩＣカードがかざされたと検知されるのを待つ。
【００６４】
ステップＳ４０３では、複合機１１０は、ユーザによってかざされたＩＣカードのカードＩＤを取得する。
【００６５】
ステップＳ４０４では、複合機１１０は、認証サーバ１３０に対してステップＳ４０３で取得したカードＩＤを送信する。
【００６６】
ステップＳ４０５では、認証サーバ１３０は、ステップＳ４０４で送信されたカードＩＤを受信する。
【００６７】
ステップＳ４０６では、認証サーバ１３０は、認証データ構成のテーブル（図１２）に対して、Ｓ４０５で受信したカードＩＤを使用して認証を行う。具体的には、Ｓ４０５で受信したカードＩＤと一致する認証データ構成のテーブル（図１２）のカードＩＤ１２０３の検索を行い、該当するカードＩＤ１２０３のユーザ情報（ユーザ名１２０１）の取得を行う。
【００６８】
図１２は、認証サーバ１３０の外部メモリ１３１１で管理される認証テーブルの一例を示す図である。図１２は認証サーバ１３０に登録される複合機１１０にログイン可能なユーザを識別するためのユーザ名１２０１に対して、当該ユーザが所持するＩＣカードのカードＩＤ１２０３と、当該ユーザが所持する活動量計のカードＩＤ１２０４とが紐づけて管理される。
【００６９】
ステップＳ４０７では、認証サーバ１３０は、ステップＳ４０６の認証結果を複合機１１０に対して送信する。
【００７０】
ステップＳ４０８では、複合機１１０は、Ｓ４０７で送信された認証結果を受信する。
【００７１】
ステップＳ４０９では、複合機１１０は、ステップＳ４０８で受信した認証結果を判定する（認証処理）。
【００７２】
複合機１１０は、認証に成功した場合は（ステップＳ４０９：ＹＥＳ）、ステップＳ４１１へ処理を移行する。
【００７３】
複合機１１０は、認証に失敗した場合は（ステップＳ４０９：ＮＯ）、ステップＳ４１０へ処理を移行する。
【００７４】
ステップＳ４１０では、複合機１１０は、不図示の認証失敗画面を複合機１１０の操作部２０８に表示する。
【００７５】
ステップＳ４１１では、複合機１１０は、ステップＳ４０８で受信したユーザ情報を複合機１１０内のＨＤＤ２０４に格納する。
【００７６】
ステップＳ４１２では、複合機１１０は、ステップＳ４０２でかざされたカード情報を複合機１１０内のＨＤＤ２０４に格納する。具体的には、図１２の上段（図１２の１２０３）のカードＩＤと一致するとＩＣカードという情報を、図１２の下段（図１２の１２０４）のカードＩＤと一致したら活動量計という情報を複合機１１０内のＨＤＤ２０４に格納する。
【００７７】
ステップＳ４１３では、複合機１１０は、複合機１１０内のＨＤＤ２０４に格納されているユーザ情報で複合機１１０にログインする。
【００７８】
ステップＳ４１４では、複合機１１０は、メインメニュー画面（図７）（ログイン後の画面）を表示する。
【００７９】
ここで、ステップＳ４１４で表示されるメインメニュー画面について図７について説明する。図７は複合機１１０に表示されるメインメニュー画面７０１の構成の一例を示す図である。
【００８０】
メインメニュー画面７０１（図７）には、コピーボタン７０２と、紙媒体のスキャンを行うためのスキャンボタン７０３と、ファクスを送信するためのファクスボタン７０４と、印刷ボタン７０５と、活動量計データ送信ボタン７０６と、活動量計データ印刷ボタン７０７とが表示される。以上で、図７の説明を終了し、図４の説明に戻る。
【００８１】
ステップＳ４１５では、複合機１１０は、複合機１１０のＨＤＤ２０４に格納されているカード情報を参照し、ステップＳ４０２においてカード検知時にかざされたカードが活動量計であるかＩＣカードであるかを判定する。
【００８２】
複合機１１０は、かざされたカードが活動量計であった場合は（ステップＳ４１５：ＹＥＳ）、ステップＳ４１６へ処理を移行する。
【００８３】
複合機１１０は、かざされたカードが活動量計では無かった場合は（ステップＳ４１５：ＮＯ）、ステップＳ４２２へ処理を移行する。（ステップＳ４２２については後述する。）
【００８４】
ステップＳ４１６では、複合機１１０は、カードリーダ２１９にかざされた活動量計に、未送信の活動量計データが存在するか否かを判定する。例えば、前回送信日時とユーザがログインした日時を比較し、日付が異なる場合に未送信のデータがあると判断する。
【００８５】
複合機１１０は、データが存在する場合は（ステップＳ４１６：ＹＥＳ）、ステップＳ４１７へ処理を移行する。
【００８６】
複合機１１０は、データが存在しない場合は（ステップＳ４１６：ＮＯ）、ステップＳ４２３へ処理を移行する。（ステップＳ４２３については後述する。）  
【００８７】
また、活動量計データの送信状況確認画面１００１（図１０）には、ＯＫボタンが表示される。
【００８８】
ステップＳ４１７では、複合機１１０は、活動量計から活動量計データを取得し（本発明におけるデバイスに記憶されたデータを読み取る読み取り手段の一例）、取得したデータをデータ管理サーバ１４０に送信し登録する（本発明における読み取り手段により読み取られたデータを収集して記憶する記憶手段に当該データを登録する登録手段の一例）。
【００８９】
活動量計データとは例えば、日付、歩数、消費カロリー、一日の総消費カロリー、歩行時間等である。ステップＳ４１７は、本発明におけるデバイスに記憶されたデータを読み取る読み取り手段の適用例である。
【００９０】
なお、本実施例では活動量計データをデータ管理サーバ１４０に登録するとしたが、他の実施例として複合機１１０のＨＤＤ２０４に登録してもよい。その場合、ステップＳ４１９の処理は複合機１１０が行い、ステップＳ４１８、ステップＳ４２０、ステップＳ４２１の処理は不要である。
【００９１】
ステップＳ４１８では、データ管理サーバ１４０は、ステップＳ４１７で送信された活動量計データを受信し、ステップＳ４１９で、受信した活動量計データを特定の領域（データ管理サーバ１４０の外部メモリ内の領域）である活動量計データ記憶部３０８に登録する。ステップＳ４１９は、本発明の記憶手段の適用例であり、データ読み取り部３０１により読み取られたデータを収集して記憶する。
【００９２】
その後、ステップＳ４２０では、データ管理サーバ１４０は、ステップＳ４１８で登録した登録結果を複合機１１０に送信する。登録結果とは登録が成功したか否か（ＹＥＳ／ＮＯ等）の情報である。例えば、成功した場合はＹＥＳ、失敗した場合はＮＯが送信される。
【００９３】
複合機１１０は、ステップＳ４２０でデータ管理サーバ１４０から送信された登録結果を受信する（ステップＳ４２１）。
【００９４】
ステップＳ４２２で、複合機１１０は、ステップＳ４１４で複合機１１０の操作部２０８に表示したメインメニュー画面７０１（図７）の活動量計データ送信ボタン７０６がユーザにより押下されたか否かを確認する。
【００９５】
活動量計データ送信ボタン７０６が押下された場合は、複合機１１０は、ステップＳ４２３へ処理を移行する。
【００９６】
活動量計データ送信ボタン７０６が押下されていない場合は、ステップＳ４２４へ処理を移行する。
【００９７】
ステップＳ４２３では、複合機１１０は、活動量計データの送信状況確認画面１００１（図１０）を表示する。活動量計データの送信状況確認画面１００１（図１０）は活動量計データの送信状況を表示したり、新たに活動量計のデータの送信指示をユーザから受け付けたりする画面である。
【００９８】
図１０の例では、活動量計データの送信状況として、活動量計データの送信が完了したことを表示している。
【００９９】
複合機１１０は、ステップＳ４２４において、ユーザにより図７の活動量計データ印刷ボタン７０７が押下されたかを判定し、活動量計データ印刷ボタン７０７が押下された場合は（ステップＳ４２４：ＹＥＳ）、ステップＳ５０１へ処理を移行し（ステップＳ５０１については後述する。）、活動量計データ印刷ボタン７０７が押下されていない場合は（ステップＳ４２４：ＮＯ）、ステップＳ４２５へ処理を移行する。
【０１００】
複合機１１０は、ステップＳ４２５において、ユーザにより図７の印刷ボタン７０５が押下された場合は（ステップＳ４２５：ＹＥＳ）、複合機１１０は、ステップＳ６０１へ処理を移行する。（ステップＳ６０１については後述する。）
【０１０１】
複合機１１０は、印刷ボタン７０５が押下されていない場合は（ステップＳ４２５：ＹＥＳ）、ステップ４２６へ処理を移行する。
【０１０２】
ステップＳ４２６では、複合機１１０は、活動量計を促す画面９０１（図９）でログアウトボタン９０２が押下された否かを確認する。
【０１０３】
複合機１１０は、ログアウトボタン９０２が押下されていない場合は（ステップＳ４２６：ＮＯ）、ステップＳ４２７へ処理を移行する。
【０１０４】
複合機１１０は、ログアウトボタン９０２が押下された場合は（ステップＳ４２６：ＹＥＳ）、ステップＳ４２８へ処理を移行する。（ステップＳ４２８については後述する。）
【０１０５】
ステップＳ４２７では、複合機１１０は、複合機１１０上のステップ４２６以外の操作でログアウトが行われたか否かを確認する。
【０１０６】
複合機１１０は、ログアウトが行われた場合は（ステップＳ４２７：ＹＥＳ）、ステップＳ４２８へ処理を移行する。
【０１０７】
複合機１１０は、ログアウトが行われていない場合は（ステップＳ４２７：ＮＯ）、ステップＳ４１５へ処理を移行する。
【０１０８】
複合機１１０上のログアウト操作とは、例えば複合機１１０上のログアウトキーを押下された場合などである。
【０１０９】
ステップＳ４２８では、ログアウト処理を行う。以上で、図４の説明を終了する。
【０１１０】
次に図５を参照して活動量計データ印刷の流れについて説明する。
【０１１１】
ステップＳ５０１では、複合機１１０は、ログインしたユーザが印刷可能な文書情報（文書ＩＤ、文書名、用紙サイズ、ページ数、文書の説明、文書のサムネイル等）の一覧取得要求をカード情報とともにデータ管理サーバ１４０に送信する。
【０１１２】
ステップＳ５０２では、データ管理サーバ１４０は、ステップＳ４０８で受信したカード情報をもとにログインしたユーザが印刷可能な印刷データの一覧（活動量計のデータや、サーバで自動生成する活動量計に関連するユーザへのお知らせ等）をデータ管理サーバ１４０の活動量計データ記憶部３０８から取得する。
【０１１３】
このとき、データ管理サーバ１４０上で活動量計データを変換して印刷データを生成する。なお、本実施例では印刷データ（印刷ジョブとも言う）をデータ管理サーバ１４０で生成するとしたが、複合機１１０で生成してもよい。
【０１１４】
なお、活動量計データ記憶部３０８では、活動量計のカード情報と紐付けて、当該活動量計の活動量計データを管理しているものとする。
【０１１５】
ステップＳ５０３では、データ管理サーバ１４０は、ステップＳ５０２で取得した印刷データの書誌情報（印刷データの文書ＩＤや文書名等）を、複合機１１０に送信する。
【０１１６】
ステップＳ５０４では、複合機１１０は、ステップＳ５０３で送られた印刷データの書誌情報を受信する。
【０１１７】
ステップＳ５０５では、複合機１１０は、ステップＳ５０４で取得した印刷データの書誌情報を活動量計データ一覧画面１１０１（図１１）に表示する。
【０１１８】
ここで、活動量計データ一覧画面１１０１（図１１）について説明する。
【０１１９】
活動量計データ一覧画面１１０１（図１１）では、ステップＳ５０５で取得した印刷データの書誌情報を１１０２に示すリスト（一覧）にして表示される。
【０１２０】
また、活動量計データ一覧画面１１０１には、プリント開始ボタン１１０３、更新情報ボタン、詳細情報ボタン、ログアウトボタンが表示される。
【０１２１】
また、そのリスト１１０２の最も左側には、印刷データごとに、チェックボックスが表示されており、ユーザにより、このチェックボックスの選択を受け付けることにより、印刷を行う印刷データの選択を受け付けることが可能となっている。以上で図１１の説明を終了し、図５の説明に戻る。
【０１２２】
ステップＳ５０６で、複合機１１０は、活動量計データ一覧画面１１０１（図１１）のプリント開始ボタン１１０３が押下されたか否かを確認する。なお、ステップＳ５０６は、本発明の印刷ジョブの印刷指示を受け付ける受付手段の適用例である。
【０１２３】
複合機１１０は、プリント開始ボタン１１０３が押下された場合は（ステップＳ５０６：ＹＥＳ）、ステップＳ５０７へ処理を移行する。
【０１２４】
複合機１１０は、プリント開始ボタン１１０３が押下されなかった場合は（ステップＳ５０６：ＮＯ）、ステップＳ５１７へ処理を移行する。
【０１２５】
ステップＳ５０７では、複合機１１０は、印刷する印刷データの取得要求をカード情報、文書ＩＤとともにデータ管理サーバ１４０に送信する。
【０１２６】
ステップＳ５０８では、データ管理サーバ１４０は、受信したカード情報、文書ＩＤをもとにデータ管理サーバ１４０の活動量計データ記憶部３０８から対象の印刷データを取得する。
【０１２７】
ステップＳ５０９では、データ管理サーバ１４０は、ステップＳ５０８で取得した印刷データを複合機１１０に送信する。
【０１２８】
ステップＳ５１０では、複合機１１０は、ステップＳ５０９で送信された印刷データを受信する。
【０１２９】
ステップＳ５１１では、複合機１１０は、ステップＳ５１０で取得した印刷データの印刷にかかる時間を取得する。ステップＳ５１１は、本発明の取得手段の適用例であり、データ受付部３０３により印刷指示を受け付けた印刷ジョブの印刷時間を取得する。
【０１３０】
印刷にかかる時間を取得する方法は、例えば各用紙サイズ１枚の印刷にかかる時間を目安とし、印刷文書の部数、用紙サイズ、ページ数などの情報をもとに算出する。もしくは、複合機１１０本体が算出する印刷完了までの時間を利用する。印刷文書の部数、用紙サイズ、ページ数などの情報は、印刷データから取得した書誌情報から取得する。
【０１３１】
ステップＳ５１２では、複合機１１０は、活動量計データの印刷処理を開始する。
【０１３２】
ステップＳ５１３では、複合機１１０は、ステップＳ４１２で複合機１１０のＨＤＤ２０４に格納したカード情報を参照し、ステップＳ４０２においてカード検知時にかざされたカードが活動量計であるかを判定する。ステップＳ５１３は、本発明における判定手段の適用例である。
【０１３３】
複合機１１０は、かざされたカードが活動量計であると判定された場合は、ステップＳ５１６へ処理を移行する（ステップＳ５１６：ＹＥＳ）（ステップＳ５１６については後述する）。活動量計では無いと判定された場合には（ステップＳ５１６：ＮＯ）、ステップＳ５１４へ処理を移行する。
【０１３４】
ステップＳ５１４では、複合機１１０は、ステップＳ５１１で取得した印刷時間が複合機１１０内で保持（メモリ等に保持）する設定時間（所定の時間）を超えるか否かを判定する。
【０１３５】
複合機１１０は、印刷時間が設定時間を超えると判定された場合は、複合機１１０は、ステップＳ５１５へ処理を移行する。
【０１３６】
複合機１１０は、印刷時間が設定時間を超えないと判定された場合は、ステップＳ５１６へ処理を移行する。（ステップＳ５１６については後述する）
【０１３７】
ステップＳ５１５では、複合機１１０は、活動量計データをかざすように促す画面９０１（図９）を表示する。ステップＳ５１５は、本発明の通知手段の適用例であり、印刷時間取得部３０４で取得した印刷時間が所定の時間を超える場合に、データ読み取り部３０１に活動量計データの読み取りを促すため通知を行う。
【０１３８】
ステップＳ５１５の処理を行うことにより、ユーザに活動量計データの読み取りを促しつつ、印刷の待ち時間を有効に活用することができる。
【０１３９】
また、活動量計によりユーザが複合機１１０にログインしているときには図９の画面を表示しないことで、活動量計によりログインすることで活動量計のデータをすでに送信しているにも関わらず、ユーザに活動量計データの読み取りを促してしまうという無駄な通知をなくすことができる。
【０１４０】
ステップＳ５１６では、複合機１１０は、不図示の印刷中画面を表示する。
【０１４１】
ステップＳ５１７では、複合機１１０は、図１１の画面に含まれるメインメニュー画面７０１（図７）に戻るボタン（不図示）ボタンが押下されたか否かを判定する。
【０１４２】
複合機１１０は、図１１に含まれるメインメニュー画面７０１（図７）に戻るボタン（不図示）が押下された場合は、ステップＳ４１４に処理を移行する。
【０１４３】
複合機１１０は、メインメニュー画面７０１（図７）に戻るボタンが押下されなかった場合は、ステップＳ５０５へ処理を移行する。以上で、図５の説明を終了する。
【０１４４】
次に図６を参照して印刷の流れについて説明する。
【０１４５】
ステップＳ６０１では、複合機１１０は、ログインしたユーザが印刷可能な文書情報（文書ＩＤ、文書名、用紙サイズ、ページ数、文書の説明、文書のサムネイル等）の一覧取得を行う。
【０１４６】
ステップＳ６０２では、複合機１１０は、複合機１１０の記憶部（例えば外部メモリ）から印刷データ（当該印刷データの書誌情報を含む）を取得し、印刷データ一覧画面８０１（図８）に表示する。
【０１４７】
ここで、図８の印刷データ一覧画面８０１について説明する。印刷データ一覧画面８０１（図８）では、ステップＳ６０２で、複合機１１０の記憶部（例えば外部メモリ）から印刷データを８０２に示すリスト（一覧）にして表示される。
【０１４８】
また、印刷データ一覧画面８０１には、プリント開始ボタン８０３、更新情報ボタン、詳細情報ボタン、ログアウトボタンが表示される。
【０１４９】
また、そのリスト８０２の最も左側には、印刷データごとに、チェックボックスが表示されており、ユーザにより、このチェックボックスの選択を受け付けることにより、印刷を行う印刷データの選択を受け付けることが可能となっている。以上で図８の説明を狩猟し、図６の説明に戻る。
【０１５０】
複合機１１０は、ステップＳ６０３で、ユーザによる印刷データ一覧画面８０１（図８）のプリント開始ボタン８０３が押下されたか否かを判定する。
【０１５１】
複合機１１０は、プリント開始ボタン８０３が押下された場合は、ステップＳ６０４へ処理を移行する。
【０１５２】
複合機１１０は、プリント開始ボタン８０３が押下されなかった場合は、ステップＳ６１０へ処理を移行する。
【０１５３】
ステップＳ６０４では、複合機１１０は、ステップ６０２で取得した印刷データを使用し、印刷にかかる時間を取得する。
【０１５４】
印刷にかかる時間を取得する方法は、例えば各用紙サイズ１枚の印刷にかかる時間を目安とし、印刷文書の部数、用紙サイズ、ページ数などの情報をもとに算出する。もしくは、複合機１１０本体が算出する印刷完了までの時間を利用する。
【０１５５】
ステップＳ６０５では、複合機１１０は、印刷データの印刷処理を開始する。
【０１５６】
ステップＳ６０６では、複合機１１０は、ステップＳ４１２で複合機１１０のＨＤＤ２０４に格納したカード情報を参照し、ステップＳ４０２においてカード検知時にかざされたカードが活動量計であるかを判定する。
【０１５７】
複合機１１０は、かざされたカードが活動量計であると判定された場合は、ステップＳ６０９へ処理を移行する。（ステップＳ６０６：ＹＥＳ）（ステップＳ６０９については後述する）
【０１５８】
複合機１１０は、活動量計では無いと判定された場合は（ステップＳ６０６：ＮＯ）、ステップＳ６０７へ処理を移行する。
【０１５９】
ステップＳ６０７では、複合機１１０は、ステップＳ６０４で取得した印刷時間が複合機１１０内で保持する設定時間（設定時間は複合機１１０のＨＤＤ等に保持される。所定時間ともいう）を超えるか否かを判定する。
【０１６０】
複合機１１０は、ステップＳ６０４で取得した印刷時間が設定時間を超えると判定された場合は（ステップＳ６０７：ＹＥＳ）、ステップＳ６０８へ処理を移行する。
【０１６１】
複合機１１０は、ステップＳ６０４で取得した印刷時間が設定時間を超えないと判定された場合は（ステップＳ６０７：ＮＯ）、ステップＳ６０９へ処理を移行する。（ステップＳ６０９については後述する）
【０１６２】
ステップＳ６０８では、複合機１１０は、活動量計データをかざすように促す画面９０１（図９）を表示する。
【０１６３】
ステップＳ６０９では、複合機１１０は、不図示の印刷中画面を表示する。
【０１６４】
ステップＳ６１０では、複合機１１０は、図８の画面に含まれるメインメニュー画面７０１（図７）に戻るためのボタン（不図示）が押下されたか否かを判定する。
【０１６５】
複合機１１０は、メインメニュー画面７０１（図７）に戻るためのボタンが押下されたと判定された場合には（ステップＳ６１０：ＹＥＳ）、ステップＳ４１４へ処理を移行する。
【０１６６】
複合機１１０は、メインメニュー画面７０１（図７）に戻るためのボタンが押下されていないと判定された場合には（ステップＳ６１０：ＮＯ）、ステップＳ６０２へ処理を移行する。以上が本発明の実施形態の説明である。
【０１６７】
以上、本発明によると印刷時間が所定時間を超える場合に印刷時間を有効に活用し、活動量計データ送信を促すことができる。
【０１６８】
尚、本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。また、Ｓｕｉｃａ（登録商標）などの乗車カードや電子マネーにも対応する。
【０１６９】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１７０】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１７１】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１７２】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１７３】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１７４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１７５】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１７６】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１７７】
尚、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１７８】
１１０  複合機
１２０  ＬＡＮ
１３０  認証サーバ
１４０  データ管理サーバ
【図１】
2017100328.tif 000003
【図２】
2017100328.tif 000004
【図３】
2017100328.tif 000005
【図４】
2017100328.tif 000006
【図５】
2017100328.tif 000007
【図６】
2017100328.tif 000008
【図７】
2017100328.tif 000009
【図８】
2017100328.tif 000010
【図９】
2017100328.tif 000011
【図１０】
2017100328.tif 000012
【図１１】
2017100328.tif 000013
【図１２】
2017100328.tif 000014
【図１３】
2017100328.tif 000015